(57)【要約】  【課題】  本発明は、複数チャンネルの放送信号を受信して再生出力することができるとともにチューナ回路の回路規模を小さくすることができる受信装置を提供することを目的とする。  【解決手段】  比較回路１３ｘによって復調回路１１ａ，１１ｂからの信号を比較することでアンテナ１ａ，１ｂの受信状況を比較し、受信状況が良いアンテナに対するチューナ回路によってメイン画面に表示するチャンネルを選局し、他方のアンテナに対するチューナ回路によってサブ画面に表示するチャンネルを選局する。【選択図】      図１
2005159615.tif 000002
【特許請求の範囲】
【請求項１】
映像信号を含む放送信号を受信する複数のアンテナと、当該アンテナそれぞれと接続された複数のチューナとを備えるとともに、前記複数のアンテナを使用してダイバーシティ方式の受信動作を行う受信装置において、
前記複数のチューナで選局されて得られた各信号に基づいて、前記アンテナそれぞれの受信状況を比較する比較部を備え、
複数の異なるチャンネルの放送信号を受信して各チャンネルの映像を複数の画面に再生するとき、
前記比較部によって受信状況が最良であると確認されるアンテナが常に確認されるとともに、該アンテナ及び該アンテナに接続するチューナそれぞれを特定のアンテナ及び特定のチューナとして切り換えて設定し、
前記複数の画面のうちの主要画面に再生出力する映像のチャンネルの放送信号を前記特定のアンテナ及び前記特定のチューナによって受信することを特徴とする受信装置。
【請求項２】
２つの異なるチャンネルの放送信号を受信して各チャンネルの映像を２画面に再生するとき、
前記比較部によって前記複数のアンテナの受信状況が常に確認され、
前記比較部によって受信状況が最良であると確認されるアンテナ及び該アンテナに接続するチューナそれぞれを第１アンテナ及び第１チューナとして切り換えて設定するとともに、
前記比較部によって受信状況が次に最良であると確認されるアンテナ及び該アンテナに接続するチューナそれぞれを第２アンテナ及び第２チューナとして切り換えて設定し、
前記２画面のうちの第１画面に再生出力する映像のチャンネルの放送信号を前記第１アンテナ及び前記第１チューナによって受信するとともに、前記２画面のうちの残りの第２画面に再生出力する映像のチャンネルの放送信号を前記第２アンテナ及び前記第２チューナによって受信することを特徴とする請求項１に記載の受信装置。
【請求項３】
２つの異なるチャンネルの放送信号を受信して各チャンネルの映像を２画面に再生するとき、
まず、前記比較部によって、受信状況が最良であると確認されるアンテナ及び該アンテナに接続するチューナと、受信状況が次に最良であると確認されるアンテナ及び該アンテナに接続するチューナと、を確認するとともに、確認された２つのチューナ以外のチューナを電源停止させた後、
動作している前記２つのチューナに接続された前記２つのアンテナの受信状況が前記比較部によって常に確認され、
前記比較部によって受信状況が最良であると確認されるアンテナ及び該アンテナに接続するチューナそれぞれを第１アンテナ及び第１チューナとして切り換えて設定するとともに、
前記比較部によって受信状況が次に最良であると確認されるアンテナ及び該アンテナに接続するチューナそれぞれを第２アンテナ及び第２チューナとして切り換えて設定し、
前記２画面のうちの第１画面に再生出力する映像のチャンネルの放送信号を前記第１アンテナ及び前記第１チューナによって受信するとともに、前記２画面のうちの残りの第２画面に再生出力する映像のチャンネルの放送信号を前記第２アンテナ及び前記第２チューナによって受信することを特徴とする請求項１に記載の受信装置。
【請求項４】
前記複数のアンテナを同数ずつ分割して第１アンテナ群と第２アンテナ群の２つのアンテナ群を構成し、
２つの異なるチャンネルの放送信号を受信して各チャンネルの映像を２画面に再生するとき、
前記比較部によって、前記第１アンテナ群及び前記第２アンテナ群それぞれの複数のアンテナの受信状況を常に確認し、
前記比較部によって、前記第１アンテナ群を構成する複数のアンテナのうち受信状況が最良であると確認されるアンテナと該アンテナに接続するチューナとを選択するとともに、前記第２アンテナ群を構成する複数のアンテナのうち受信状況が最良であると確認されるアンテナと該アンテナに接続するチューナとを選択した後、
前記比較部によって、前記第１アンテナ群及び前記第２アンテナ群それぞれより選択された２つの前記アンテナの受信状況を比較して、
受信状況が良好な一方のアンテナ及び該アンテナに接続されたチューナによって、前記２画面のうちの第１画面に再生出力する映像のチャンネルの放送信号を受信し、
他方のアンテナ及び該アンテナに接続されたチューナによって、前記２画面のうちの第２画面に再生出力する映像のチャンネルの放送信号を受信することを特徴とする請求項１に記載の受信装置。
【請求項５】
前記第１及び第２アンテナ群それぞれが２つのアンテナで構成されるとともに、
前記第１アンテナ群を構成する２つのアンテナによる空間距離、又は、前記第１アンテナ群を構成する２つのアンテナによる空間距離のいずれかが、４つのアンテナ間の空間距離の最大値となることを特徴とする請求項４に記載の受信装置。
【請求項６】
前記チューナで選局された後に復調された信号が前記比較部に与えられ、
前記比較部において前記信号のノイズ又はビットエラーレートを比較することで、前記アンテナの受信状況を比較することを特徴とする請求項１〜請求項５のいずれかに記載の受信装置。
【発明の詳細な説明】
【技術分野】
【０００１】
本発明は、複数のアンテナによるダイバーシティ方式を用いた受信装置に関するもので、特に、映像再生を行う受信装置に関する。
【背景技術】
【０００２】
従来使用されている受信装置は、図８に示すように、アンテナ１により受信された高周波信号より所望の周波数帯域内の高周波信号を選別するＢＰＦ（Band Pass Filter）２と、ＢＰＦ２を通過した高周波信号を増幅するＲＦアンプ３と、ＲＦアンプ３で増幅された高周波信号より所望の周波数帯域内の高周波信号を選別するＢＰＦ４と、ＢＰＦ４を通過した高周波信号より所望のチャンネル周波数の放送信号を選択するミキサ５と、ミキサ５に局部発振信号を与えるＶＣＯ（Voltage Controlled Oscillator）６と、ＢＰＦ２，４及びＶＣＯ６に同調電圧を与えるＰＬＬ（Phase Locked Loop）７とによって構成されるチューナ回路１０を備える。
【０００３】
このようなチューナ回路１０によって所望のチャンネルの放送信号が選局された後に、中間周波数信号（ＩＦ信号）として復調回路１１に出力されて復調される。その後、復調されて得られた信号を復号化回路１２で復号化することで、映像信号及び音声信号を得て、ディスプレイやスピーカによって映像及び音声を再生出力する。しかしながら、図８に示す受信装置を車載用テレビや携帯用テレビや携帯電話などのように移動通信を行うものとしたとき、アンテナ１が１つであるために、アンテナ１の位置や向きや角度によって受信状況が著しく変化する。そのため、受信状況が悪い場合には、映像及び音声の再生出力が良好に行われない。
【０００４】
このようなアンテナにおける受信状況の変化に対応する方式として、従来より複数のアンテナを備えたダイバーシティ方式が用いられている（特許文献１参照）。このダイバーシティ方式を用いた受信装置の構成を、図９に示す。図９の受信装置は、アンテナ１ａ，１ｂと、図８のチューナ回路１０と同一の構成となるチューナ回路１０ａ，１０ｂと、チューナ回路１０ａ，１０ｂそれぞれからのＩＦ信号を復調する復調回路１１ａ，１１ｂと、復調回路１１ａ，１１ｂで復調された信号よりアンテナ１ａ，１ｂのいずれの受信状況が良好であるか比較する比較回路１３と、復号化回路１２と、を備える。
【０００５】
このように構成することによって、チューナ回路１０ａ，１０ｂで選局された同一チャンネルの放送信号となるＩＦ信号が復調回路１１ａ，１１ｂで復調された後、比較回路１３に与えられる。よって、比較回路１３では、復調回路１１ａ，１１ｂより与えられる信号のＳ／Ｎ比やビットエラーレートなどを比較することで、アンテナ１ａ，１ｂのいずれの受信状況が良好であるか確認する。そして、比較回路１３によって受信状況が良好である復調された信号が選択されて復号化回路１２に送出されることによって、常に受信状況が良好な放送信号を再生出力することができる。
【特許文献１】特開平１０−８４２９７号公報
【発明の開示】
【発明が解決しようとする課題】
【０００６】
このように、図９の構成の受信装置においては、チューナ回路１０ａ，１０ｂそれぞれで同一ののチャンネルの放送信号を選局してＩＦ信号を生成するとともに、復調回路１１ａ，１１ｂでは同一のＩＦ信号を復調することとなる。そのため、受信状況が良好なアンテナより受信された放送信号を選択して出力することができるが、異なるチャンネルの放送信号を同時に受信して再生出力することができない。又、従来において、このように異なるチャンネルの放送信号を同時に受信して再生出力する場合、図９のような構成の受信装置を再生するチャンネル数分必要とするため、ｎチャンネルの放送信号を再生出力する場合はｎ×２個のチューナ回路を必要とする。
【０００７】
このような問題を鑑みて、本発明は、複数チャンネルの放送信号を受信して再生出力することができるとともにチューナ回路の回路規模を小さくすることができる受信装置を提供することを目的とする。
【課題を解決するための手段】
【０００８】
上記目的を達成するために本発明の受信装置は、映像信号を含む放送信号を受信する複数のアンテナと、当該アンテナそれぞれと接続された複数のチューナとを備えるとともに、前記複数のアンテナを使用してダイバーシティ方式の受信動作を行う受信装置において、前記複数のチューナで選局されて得られた各信号に基づいて、前記アンテナそれぞれの受信状況を比較する比較部を備え、複数の異なるチャンネルの放送信号を受信して各チャンネルの映像を複数の画面に再生するとき、前記比較部によって受信状況が最良であると確認されるアンテナが常に確認されるとともに、該アンテナ及び該アンテナに接続するチューナそれぞれを特定のアンテナ及び特定のチューナとして切り換えて設定し、前記複数の画面のうちの主要画面に再生出力する映像のチャンネルの放送信号を前記特定のアンテナ及び前記特定のチューナによって受信することを特徴とする。
【０００９】
このような受信装置によると、同一のチャンネルを前記複数のアンテナ及びチューナによって受信し、受信状況が最良となるアンテナで受信した放送信号を再生出力するダイバーシティ方式を用いて受信動作を行う。又、複数のチャンネルの放送信号を受信して複数の映像を再生出力するとき、前記比較部によって受信状況が最良となるアンテナ及び該アンテナに接続されたチューナを前記特定のアンテナ及び前記特定のチューナと設定し、前記特定のチューナの受信チャンネル周波数を前記主要画面に再生出力する映像のチャンネルに設定する。このようにして、常に受信状況が最良となるアンテナによって、前記主要画面に再生出力する映像のチャンネルの放送信号を受信させる。このとき、他のアンテナ及びチューナによって他の画面に表示する異なるチャンネルの放送信号を受信する。
【００１０】
このような受信装置において、２つの異なるチャンネルの放送信号を受信して各チャンネルの映像を２画面に再生するとき、前記比較部によって前記複数のアンテナの受信状況が常に確認され、前記比較部によって受信状況が最良であると確認されるアンテナ及び該アンテナに接続するチューナそれぞれを第１アンテナ及び第１チューナとして切り換えて設定するとともに、前記比較部によって受信状況が次に最良であると確認されるアンテナ及び該アンテナに接続するチューナそれぞれを第２アンテナ及び第２チューナとして切り換えて設定し、前記２画面のうちの第１画面に再生出力する映像のチャンネルの放送信号を前記第１アンテナ及び前記第１チューナによって受信するとともに、前記２画面のうちの残りの第２画面に再生出力する映像のチャンネルの放送信号を前記第２アンテナ及び前記第２チューナによって受信するものとしても構わない。
【００１１】
この受信装置において、受信装置が２つのアンテナと２つのチューナを備えるものとすると、２つのアンテナと２つのチューナによって同一のチャンネルを受信して、２つのアンテナによるダイバーシティ方式の受信動作を行うものとする。このとき、前記比較部によって受信状況が最良であると確認される一方のアンテナ及び該アンテナに接続するチューナそれぞれを第１アンテナ及び第１チューナとして切り換えて設定するとともに、前記比較部によって受信状況が次に最良であると確認される他方のアンテナ及び該アンテナに接続するチューナそれぞれを第２アンテナ及び第２チューナとして切り換えて設定する。そして、前記主要画面とする前記第１画面に対するチャンネルを前記第１アンテナ及び前記第１チューナで受信し、前記第２画面に対するチャンネルを前記第２アンテナ及び前記第２チューナで受信する。このように前記第１及び第２アンテナを切り換えることで、常に受信状況が最良なアンテナで受信された放送信号による映像が前記第１画面に再生することができる。
【００１２】
又、上述のような受信装置において、２つの異なるチャンネルの放送信号を受信して各チャンネルの映像を２画面に再生するとき、まず、前記比較部によって、受信状況が最良であると確認されるアンテナ及び該アンテナに接続するチューナと、受信状況が次に最良であると確認されるアンテナ及び該アンテナに接続するチューナと、を確認するとともに、確認された２つのチューナ以外のチューナを電源停止させた後、動作している前記２つのチューナに接続された前記２つのアンテナの受信状況が前記比較部によって常に確認され、前記比較部によって受信状況が最良であると確認されるアンテナ及び該アンテナに接続するチューナそれぞれを第１アンテナ及び第１チューナとして切り換えて設定するとともに、前記比較部によって受信状況が次に最良であると確認されるアンテナ及び該アンテナに接続するチューナそれぞれを第２アンテナ及び第２チューナとして切り換えて設定し、前記２画面のうちの第１画面に再生出力する映像のチャンネルの放送信号を前記第１アンテナ及び前記第１チューナによって受信するとともに、前記２画面のうちの残りの第２画面に再生出力する映像のチャンネルの放送信号を前記第２アンテナ及び前記第２チューナによって受信するものとしても構わない。
【００１３】
この受信装置において、受信装置が４つのアンテナと４つのチューナを備えるものとすると、４つのアンテナと４つのチューナによって同一のチャンネルを受信して、４つのアンテナによるダイバーシティ方式の受信動作を行うものとする。このとき、前記比較部によって受信状況の悪いことが確認された２つのアンテナに接続された２つのチューナを電源停止させる。そして、動作している２つのチューナに接続されたアンテナの受信状況を前記比較部によって常に確認され、最良であると確認されるアンテナ及び該アンテナに接続するチューナそれぞれを第１アンテナ及び第１チューナとして切り換えて設定するとともに、前記比較部によって受信状況が次に最良であると確認される他方のアンテナ及び該アンテナに接続するチューナそれぞれを第２アンテナ及び第２チューナとして切り換えて設定する。そして、前記主要画面とする前記第１画面に対するチャンネルを前記第１アンテナ及び前記第１チューナで受信し、前記第２画面に対するチャンネルを前記第２アンテナ及び前記第２チューナで受信する。このように前記第１及び第２アンテナを切り換えることで、常に受信状況が最良なアンテナで受信された放送信号による映像が前記第１画面に再生することができるとともに、受信動作を行っていないチューナを電源停止させることで消費電力を低減することができる。
【００１４】
又、上述のような受信装置において、前記複数のアンテナを同数ずつ分割して第１アンテナ群と第２アンテナ群の２つのアンテナ群を構成し、２つの異なるチャンネルの放送信号を受信して各チャンネルの映像を２画面に再生するとき、前記比較部によって、前記第１アンテナ群及び前記第２アンテナ群それぞれの複数のアンテナの受信状況を常に確認し、前記比較部によって、前記第１アンテナ群を構成する複数のアンテナのうち受信状況が最良であると確認されるアンテナと該アンテナに接続するチューナとを選択するとともに、前記第２アンテナ群を構成する複数のアンテナのうち受信状況が最良であると確認されるアンテナと該アンテナに接続するチューナとを選択した後、前記比較部によって、前記第１アンテナ群及び前記第２アンテナ群それぞれより選択された２つの前記アンテナの受信状況を比較して、受信状況が良好な一方のアンテナ及び該アンテナに接続されたチューナによって、前記２画面のうちの第１画面に再生出力する映像のチャンネルの放送信号を受信し、他方のアンテナ及び該アンテナに接続されたチューナによって、前記２画面のうちの第２画面に再生出力する映像のチャンネルの放送信号を受信するものとしても構わない。
【００１５】
この受信装置において、前記第１及び第２アンテナ群による４つのアンテナと４つのチューナによって同一のチャンネルを受信して、４つのアンテナによるダイバーシティ方式の受信動作を行うものとする。このとき、２画面による映像再生出力を行う場合、前記第１アンテナ群によって構成される２つのアンテナ及びチューナで受信されるチャンネルと、前記第２アンテナ群によって構成される２つのアンテナ及びチューナで受信されるチャンネルとを異なるものとし、前記第１アンテナ群によって構成される２つのアンテナ及びチューナでダイバーシティ受信動作を行うとともに、前記第２アンテナ群によって構成される２つのアンテナ及びチューナでダイバーシティ受信動作を行う。そして、前記第１及び第２アンテナ群のうち、受信状況が最良となるアンテナを備えるアンテナ群によって前記主要画面とする前記第１画面に対するチャンネルの放送信号を受信し、他方のアンテナ群によって前記第２画面に対するチャンネルの放送信号を受信する。
【００１６】
又、このとき、前記第１及び第２アンテナ群それぞれが２つのアンテナで構成されるとともに、前記第１アンテナ群を構成する２つのアンテナによる空間距離、又は、前記第１アンテナ群を構成する２つのアンテナによる空間距離のいずれかが、４つのアンテナ間の空間距離の最大値となるものとする。
【００１７】
上述の各受信装置において、前記チューナで選局された後に復調された信号が前記比較部に与えられ、前記比較部において前記信号のノイズ又はビットエラーレートを比較することで、前記アンテナの受信状況を比較するものとしても構わない。
【００１８】
又、前記チューナが、選局動作を行われるチューナ回路を備え、該チューナ回路からの信号が前記比較部に与えられるものとしても構わない。又、前記チューナが、選局動作を行われるチューナ回路と、チューナ回路からの信号を復調する復調回路とを備え、該復調回路からの信号が前記比較部に与えられるものとしても構わない。又、複数チャンネルの放送信号それぞれを復号化する複数の復号化回路と、当該復号化回路で復号化された信号を合成する合成回路とを備え、当該合成回路で合成されることによって複数画面それぞれに再生出力される映像信号が生成されるものとしても構わない。
【発明の効果】
【００１９】
本発明によると、複数のチャンネルを受信して、主要画面に表示するチャンネルを受信するアンテナを常に受信状況の最良なアンテナとすることができる。そのため、主要画面に表示する映像を安定した映像とすることができる。又、受信動作を行っていないチューナを電源停止させることができるため、消費電力を低減することができる。又、異なるチャンネルを受信するアンテナ群を構成して、それぞれのアンテナ群をダイバーシティ方式で受信動作させるため、それぞれのチャンネルの放送信号を受信するアンテナの受信状況を良好なものとすることができる。そのため、各画面に表示する映像を安定した映像とすることができる。
【発明を実施するための最良の形態】
【００２０】
＜第１の実施形態＞
本発明の第１の実施形態について、以下に図面を参照して説明する。図１は、本実施形態の受信装置の内部構成を示すブロック図である。尚、図１の受信装置において、図９と同一の部分については同一の符号を付す。
【００２１】
図１の受信装置は、アンテナ１ａ，１ｂと、チューナ回路１０ａ，１０ｂと、復調回路１１ａ，１１ｂと、比較回路１３ｘと、復調回路１１ａ，１１ｂからの信号の切換を行う信号切換回路１４と、信号切換回路１４から与えられる信号を復号化する復号化回路１２ａ，１２ｂと、復号化回路１２ａ，１２ｂで復号化された信号を合成する合成回路１５と、を備える。このとき、チューナ回路１０ａ，１０ｂは、図８のチューナ回路１０と同様、ＢＰＦ２と、ＲＦアンプ３と、ＢＰＦ４と、ミキサ５と、ＶＣＯ６と、ＰＬＬ７とによって構成される。
【００２２】
このチューナ回路１０ａ，１０ｂは、アンテナ１ａ，１ｂによって受信される高周波信号より、ＰＬＬ７の同調電圧によって設定されたフィルタ係数となるＢＰＦ２によって、所望のチャンネル周波数を含む周波数帯域の高周波信号を選別する。そして、ＢＰＦ２によって選別された高周波信号をＲＦアンプ３で増幅した後に、ＰＬＬ７の同調電圧によって設定されたフィルタ係数となるＢＰＦ４によって、更に狭い帯域幅となる所望のチャンネル周波数を含む周波数帯域の高周波信号を選別する。このＢＰＦ４を通過した高周波信号がミキサ５に与えられると、ＰＬＬ７の同調電圧によって設定された局部発振周波数の局部発振信号がＶＣＯ６より与えられることで、ミキサ５において、所望のチャンネルの高周波信号が選別されるとともにＩＦ信号に変換されて出力される。
【００２３】
（ダイバーシティ方式による受信動作）
このような構成の受信装置は、図９の受信装置と同様、ダイバーシティ方式で受信を行う際は、チューナ回路１０ａ，１０ｂにおいて同一のチャンネル周波数の放送信号が受信される。即ち、チューナ回路１０ａ，１０ｂのＢＰＦ２，４のフィルタ係数及びＶＣＯ６から局部発振信号の局部発振周波数を設定するＰＬＬ７からの同調電圧が、同一の値とされる。そして、比較回路１３ｘによって、復調回路１１ａ，１１ｂで復調された信号それぞれのＳ／Ｎ比及びビットエラーレートが確認される。
【００２４】
このとき、ノイズやビットエラーレートの小さい信号を出力する復調回路が比較回路１３によって確認されると、その復調回路からの信号が復号化回路１２ａに与えられるように、比較回路１３ｘによって信号切換回路１４が制御される。即ち、復調回路１１ａからの信号の方がノイズやビットエラーレートが小さい場合は、信号切換回路１４によって復調回路１１ａからの信号が復号化回路１２ａに与えられ、又、復調回路１１ｂからの信号の方がノイズやビットエラーレートが小さい場合は、信号切換回路１４によって復調回路１１ｂからの信号が復号化回路１２ａに与えられる。
【００２５】
このように比較回路１３ｘ及び信号切換回路１４が動作して、復調回路１１ａ，１１ｂと復号化回路１２ａとの接続関係を切り換えることによって、復号化回路１２ａには、アンテナ１ａ，１ｂのうち受信状況の良好なアンテナで受信されることで得られたノイズやビットエラーレートの小さい信号が常に与えられる。そして、復号化回路１２ａにおいて、与えられた信号を復号化することによって映像信号及び音声信号を得ると、合成回路１５を介して不図示のディスプレイ及びスピーカに与えることで映像及び音声を再生出力する。尚、このとき、復号化回路１２ｂの動作は停止されている。
【００２６】
（複数画面表示機能を用いたときの受信動作）
又、この受信装置は、図２のように、ディスプレイの画面５０上に別の画面表示を行うためのウィンドウ５１を表示し、ディスプレイの画面５０となるメイン画面と、画面５０に表示されたウィンドウ５１によるサブ画面とのそれぞれに、異なるチャンネルの映像を再生表示させる複数画面表示機能を備える。又、この複数画面表示機能が用いられたとき、復号化回路１２ａで復号化された映像信号による映像がメイン画面に表示されるとともに、復号化回路１２ｂで復号化された映像信号による映像がサブ画面に表示される。更に、復号化回路１２ａで復号化された音声信号による音声のみが再生される。この複数画面表示機能を行うようにユーザによって指示されたときの動作について、図３のフローチャートを参照して説明する。
【００２７】
複数画面表示が指示されると、比較回路１３ｘにおいて、復調回路１１ａ，１１ｂからの信号のノイズやビットエラーレートが確認され、いずれからの信号のノイズやビットエラーレートが小さいか確認されて、アンテナ１ａ，１ｂのいずれの受信状況が良好であるか確認される（ＳＴＥＰ１）。そして、信号切換回路１４によって、受信状況が良好な一方のアンテナから得られた信号を出力する復調回路からの信号を復号化回路１２ａに与えるとともに、他方のアンテナから得られた信号を出力する復調回路からの信号を復号化回路１２ｂに与える（ＳＴＥＰ２）。このとき、受信状況が良好な一方のアンテナと接続されたチューナ回路で選局されるチャンネル周波数がメイン画面に表示されるように所望されたチャンネルのチャンネル周波数に設定されるとともに、他方のアンテナと接続されたチューナ回路で選局されるチャンネル周波数がサブ画面に表示されるように所望されたチャンネルのチャンネル周波数に設定される。
【００２８】
尚、以下において、メイン画面に表示されるチャンネルの放送信号を受信するアンテナを「メイン用アンテナ」、サブ画面に表示されるチャンネルの放送信号を受信するアンテナを「サブ用アンテナ」とするとともに、メイン用アンテナで受信した放送信号を処理するチューナ回路及び復調回路を「メイン用チューナ回路」及び「メイン用復調回路」、サブ用アンテナで受信した放送信号を処理するチューナ回路及び復調回路を「サブ用チューナ回路」及び「サブ用復調回路」とする。
【００２９】
即ち、ＳＴＥＰ１において、アンテナ１ａの受信状況が良好であると判定すると、ＳＴＥＰ２において、復調回路１１ａと復号化回路１２ａとを接続させるとともに復調回路１１ｂと復号化回路１２ｂとを接続させる。このとき、チューナ回路１０ａのチャンネル周波数がメイン画面に表示されるように所望されたチャンネルのチャンネル周波数に設定されるとともに、チューナ回路１０ｂのチャンネル周波数がサブ画面に表示されるように所望されたチャンネルのチャンネル周波数に設定される。又、ＳＴＥＰ１において、アンテナ１ｂの受信状況が良好であると判定すると、ＳＴＥＰ２において、復調回路１１ｂと復号化回路１２ａとを接続させるとともに復調回路１１ａと復号化回路１２ｂとを接続させる。このとき、チューナ回路１０ｂのチャンネル周波数がメイン画面に表示されるように所望されたチャンネルのチャンネル周波数に設定されるとともに、チューナ回路１０ａのチャンネル周波数がサブ画面に表示されるように所望されたチャンネルのチャンネル周波数に設定される。
【００３０】
このように信号切換回路１４が切換動作を行うと、復号化回路１２ａで復号化されて得られた映像信号及び音声信号と、復号化回路１２ｂで復号化されて得られた映像信号及び音声信号とが、合成回路１５に与えられる。そして、合成回路１５において、復号化回路１２ａからの映像信号による映像をメイン画面に表示するとともに復号化回路１２ｂからの映像信号による映像をサブ画面に表示するように映像信号を合成するとともに、復号化回路１２ａからの音声信号による音声のみを出力するように音声信号を合成する。
【００３１】
その後、複数画面表示の終了が指示されたか否かが確認される（ＳＴＥＰ３）。このとき、複数画面表示の終了が指示されていない場合（Ｎｏ）、メイン用復調回路からの信号のノイズやビットエラーレートが所定値以下であるか否かが比較回路１３ｘにおいて確認される（ＳＴＥＰ４）。即ち、ＳＴＥＰ４では、メイン用アンテナの受信状況が所定の受信状況よりも良好であるか否かが確認される。よって、復調回路１１ａから信号が復号化回路１２ａに与えられてメイン画面の映像が再生出力されているとき、ＳＴＥＰ４において、復調回路１１ａから信号のノイズやビットレートが所定値以下であるか否かが確認されることで、アンテナ１ａの受信状況が悪化したか否かが確認される。又、復調回路１１ｂから信号が復号化回路１２ａに与えられてメイン画面の映像が再生出力されているとき、ＳＴＥＰ４において、復調回路１１ｂから信号のノイズやビットレートが所定値以下であるか否かが確認されることで、アンテナ１ｂの受信状況が悪化したか否かが確認される。
【００３２】
ＳＴＥＰ４において、メイン用復調回路からの信号のノイズやビットエラーレートが所定値より大きい場合は（Ｎｏ）、メイン用復調回路からの信号のノイズやビットエラーレートがサブ用復調回路からの信号のノイズやビットエラー以下であるか否かが確認される（ＳＴＥＰ５）。即ち、ＳＴＥＰ５では、メイン用アンテナの受信状況がサブ画面用アンテナの受信状況よりも良好であるか否かが確認される。よって、復調回路１１ａから信号が復号化回路１２ａに与えられてメイン画面の映像が再生出力されているとき、ＳＴＥＰ５において、復調回路１１ａから信号のノイズやビットレートが復調回路１１ｂから信号のノイズやビットレート以下であるか否かが確認されることで、アンテナ１ａの受信状況がアンテナ１ｂの受信状況より悪化したか否かが確認される。又、復調回路１１ｂから信号が復号化回路１２ａに与えられてメイン画面の映像が再生出力されているとき、ＳＴＥＰ５において、復調回路１１ｂから信号のノイズやビットレートが復調回路１１ａから信号のノイズやビットレート以下であるか否かが確認されることで、アンテナ１ｂの受信状況がアンテナ１ａの受信状況より悪化したか否かが確認される。
【００３３】
ＳＴＥＰ５において、メイン用復調回路からの信号のノイズやビットエラーレートがサブ用復調回路からの信号のノイズやビットエラーより大きい場合は（Ｎｏ）、信号切換回路１４において復調回路１１ａ，１１ｂと復号化回路１２ａ，１２ｂとの間の切換動作を行う（ＳＴＥＰ６）。よって、復調回路１１ａから信号が復号化回路１２ａに与えられてメイン画面の映像が再生出力されているとき、ＳＴＥＰ６において、復調回路１１ａから信号が復号化回路１２ｂに与えられるとともに復調回路１１ｂから信号が復号化回路１２ａに与えられるように、信号切換回路１４が切換動作を行う。又、復調回路１１ｂから信号が復号化回路１２ａに与えられてメイン画面の映像が再生出力されているとき、ＳＴＥＰ６において、復調回路１１ａから信号が復号化回路１２ａに与えられるとともに復調回路１１ｂから信号が復号化回路１２ｂに与えられるように、信号切換回路１４が切換動作を行う。
【００３４】
そして、ＳＴＥＰ４においてメイン用復調回路からの信号のノイズやビットエラーレートが所定値以下でメイン用アンテナの受信状況が良好なとき（Ｙｅｓ）、又は、ＳＴＥＰ５においてメイン用復調回路からの信号のノイズやビットエラーレートがサブ用復調回路からの信号のノイズやビットエラー以下でメイン用アンテナの受信状況がサブ用アンテナの受信状況よりも良好なとき（Ｙｅｓ）、又は、ＳＴＥＰ６において信号切換回路１４での切換動作を行ったとき、ＳＴＥＰ３に移行する。
【００３５】
又、複数画面表示の終了が指示されたとき（Ｙｅｓ）、受信装置の動作停止が指示されたか否かが確認される（ＳＴＥＰ７）。このとき、受信装置の動作停止が指示されていないとき（Ｎｏ）、サブ画面となるウィンドウ５１が消去されて、メイン画面のみの映像表示がなされる（ＳＥＴＰ８）。即ち、上述したように、復号化回路１２ｂの動作が停止されて、アンテナ１ａ，１ｂ及びチューナ回路１０ａ，１０ｂ及び復調回路１１ａ，１１ｂが使用されたダイバーシティ方式による受信動作が行われる。そして、復号化回路１２ａで復号化して得られた映像及び音声のみが再生出力される。又、ＳＴＥＰ７において、受信装置の動作停止が指示されたとき（Ｙｅｓ）、受信装置が動作停止する（ＳＴＥＰ９）。
【００３６】
このように動作することで、受信状況が良好なアンテナによって受信された信号をメイン画面に再生出力するための信号として常に選択することができる。よって、メイン画面に表示された映像の再生状態を常に良好なものとすることができる。
【００３７】
尚、本実施形態において、アンテナ及びチューナ回路及び復調回路及び復号化回路それぞれを２回路ずつ備えるものとしているが、２回路以上の複数回路ずつ備えるものとしても構わない。このとき、２以上の複数画面が表示されるものとしても構わないが、図３のフローチャートによる動作と同様にして、メイン画面となる画面には受信状況の最も良好なアンテナから得られる信号が復号化された映像信号が再生される。又、メイン画面及びサブ画面が１つのディスプレイ画面が分割されて形成されるものとしても構わない。
【００３８】
＜第２の実施形態＞
本発明の第２の実施形態について、以下に図面を参照して説明する。図４は、本実施形態の受信装置の内部構成を示すブロック図である。尚、図４の受信装置において、図１と同一の部分については同一の符号を付す。
【００３９】
図４の受信装置は、アンテナ１ａ〜１ｄと、アンテナ１ａ〜１ｄそれぞれと接続するチューナ回路１０ａ〜１０ｄと、チューナ回路１０ａ〜１０ｄそれぞれから信号が与えられる復調回路１１ａ〜１１ｄと、復調回路１１ａ〜１１ｄからの信号のＳ／Ｎ比及ビットエラーレートを比較する比較回路１３ｙと、復調回路１１ａ〜１１ｄからの信号の切換を行う信号切換回路１４と、信号切換回路１４から与えられる信号を復号化する復号化回路１２ａ〜１２ｄと、復号化回路１２ａ〜１２ｄで復号化された信号を合成する合成回路１５と、を備える。このとき、チューナ回路１０ａ〜１０ｄは、図８のチューナ回路１０と同様、ＢＰＦ２と、ＲＦアンプ３と、ＢＰＦ４と、ミキサ５と、ＶＣＯ６と、ＰＬＬ７とによって構成される。
【００４０】
（ダイバーシティ方式による受信動作）
このような構成の受信装置は、図１の受信装置と同様、ダイバーシティ方式で受信を行う際は、チューナ回路１０ａ〜１０ｄにおいて同一のチャンネル周波数の放送信号が受信される。このとき、復号化回路１２ｂ〜１２ｄは、電源ＯＦＦとされる。そして、比較回路１３ｙによって、復調回路１１ａ〜１１ｄで復調された信号それぞれのＳ／Ｎ比及びビットエラーレートが確認される。このとき、ノイズやビットエラーレートの小さい信号を出力する復調回路が比較回路１３によって確認されると、その復調回路からの信号が復号化回路１２ａに与えられるように、比較回路１３ｙによって信号切換回路１４が制御される。
【００４１】
即ち、復調回路１１ａからの信号の方がノイズやビットエラーレートが小さい場合は、信号切換回路１４によって復調回路１１ａからの信号が、又、復調回路１１ｂからの信号の方がノイズやビットエラーレートが小さい場合は、信号切換回路１４によって復調回路１１ｂからの信号が、復調回路１１ｃからの信号の方がノイズやビットエラーレートが小さい場合は、信号切換回路１４によって復調回路１１ｃからの信号が、又、復調回路１１ｄからの信号の方がノイズやビットエラーレートが小さい場合は、信号切換回路１４によって復調回路１１ｄからの信号が、それぞれ復号化回路１２ａに与えられる。このように比較回路１３ｙ及び信号切換回路１４が動作して、復調回路１１ａ〜１１ｄと復号化回路１２ａとの接続関係を切り換えることによって、復号化回路１２ａには、アンテナ１ａ〜１ｄのうち受信状況の良好なアンテナで受信されることで得られたノイズやビットエラーレートの小さい信号が常に与えられる。
【００４２】
（複数画面表示機能を用いたときの受信動作）
１．４画面表示機能を用いたとき
不図示のディスプレイ上に、図５のように、サブ画面５１ａ〜５１ｃを３画面生成し、メイン画面５０を含む４画面に異なるチャンネルの映像を再生するときの４画面表示機能について、以下に説明する。このとき、まず、比較回路１３ｙによって復調回路１１ａ〜１１ｄの信号よりアンテナ１ａ〜１ｄの受信状況を確認し、最も受信状況の良いアンテナより得られる信号を信号切換回路１４によって復号化回路１２ａに与える。そして、残り３つのアンテナより得られる信号については、そのアンテナの受信状況の良いものから順に信号切換回路１４によって復号化回路１２ｂ，１２ｃ，１２ｄそれぞれに与えられる。
【００４３】
その後、合成回路１５によって、復号化回路１２ａ〜１２ｄより与えられる映像信号が合成されるとともに、復号化回路１２ａより与えられる音声信号が選択されて、不図示のディスプレイ及びスピーカに与えられることで、メイン画面及び３つのサブ画面による映像表示と音声出力とが行われる。このとき、チューナ回路１０ａ〜１０ｄでは、復号化回路１２ａに出力する信号を受信するアンテナと接続されたチューナ回路がメイン画面に表示するチャンネルのチャンネル周波数によって選局動作を行う。そして、残りの３つのチューナ回路は、それぞれが信号を与える各復号化回路１２ｂ〜１２ｄに割り当てられたサブ画面に表示するチャンネルのチャンネル周波数によって選局動作を行う。
【００４４】
このように動作しているとき、第１の実施形態と同様、復号化回路１２ａに与えられている信号を受信するアンテナ（メイン用アンテナ）の受信状況が所定値より悪化したか否かが比較回路１３ｙによって確認される。即ち、このメイン用アンテナより受信した放送信号を処理する復調回路（メイン用復調回路）からの信号のノイズやビットエラーレートが所定値より悪化したか否かが確認される。このとき、このメイン用アンテナの受信状況が所定値より悪化したことが確認されると、比較回路１３ｙにおいて、復調回路１１ａ〜１１ｄより与えられる信号のノイズやビットエラーレートに基づいて、アンテナ１ａ〜１ｄの中で最も良好な受信状況となるアンテナが確認される。
【００４５】
そして、メイン用アンテナと異なるアンテナの受信状況が最も良好となるとき、このアンテナと接続されるチューナ回路が選局するチャンネル周波数に、現在メイン用アンテナと接続されるチューナ回路（メイン用チューナ回路）の選局するチャンネル周波数を切り換える。又、受信状況が最も良好となるアンテナと接続されるチューナ回路が選局するチャンネル周波数を、メイン画面に表示するチャンネルのチャンネル周波数に切り換えて、新たにメイン用チューナ回路に変更する。更に、信号切換回路１４によって、受信状況が最も良好となるアンテナにより受信された信号を出力する復調回路を復号化回路１２ａと接続して新たにメイン用復調回路とするとともに、この復調回路と接続されていた復号化回路と元のメイン用復調回路とを接続する。
【００４６】
即ち、復調回路１１ａからの信号が復号化回路１２ａに与えられて、メイン画面にチューナ回路１０ａで選局されたチャンネルＣａの映像が再生されるとともに、復調回路１１ｂ〜１１ｄからの信号がそれぞれ復号化回路１２ｂ〜１２ｄに与えられて、３つのサブ画面にチューナ回路１０ｂ〜１０ｄそれぞれで選局されたチャンネルＣｂ〜Ｃｄの映像が再生されているものとする。このとき、アンテナ１ａの受信状況が悪化し、アンテナ１ｂの受信状況が最も良好となったとき、チューナ回路１０ａにおいて、チャンネルＣｂによる放送信号の選局を行うようにチャンネル周波数を切り換えるとともに、チューナ回路１０ｂにおいて、チャンネルＣａによる放送信号の選局を行うようにチャンネル周波数を切り換える。そして、信号切換回路１４によって、復調回路１１ｂからの信号が復号化回路１２ａに与えられるとともに、復調回路１１ａからの信号が復号化回路１２ｂに与えられる。
【００４７】
このように動作することで、４つのアンテナ１ａ〜１ｄの内その受信状況が最も良好となるアンテナとチューナ回路によってメイン画面に表示する映像のチャンネルが選局されるように動作させることができる。よって、メイン画面に表示する映像を常に受信状況の良好な放送信号より得られる映像信号に基づいて再生出力することができ、安定した映像とすることができる。
【００４８】
２．２画面表示機能を用いたときの第１例
又、第１の実施形態と同様、図２の画面５０によるメイン画面及びウィンドウ５１によるサブ画面のように２画面で表示させる２画面表示機能の一例について、以下に説明する。本例では、チューナ回路１０ａ〜１０ｄのうち受信状況の悪いアンテナと接続される２つのチューナ回路を電源ＯＦＦとするとともに、復調回路１１ａ〜１１ｄのうち受信状況の悪いアンテナと接続される２つの復調回路を電源ＯＦＦとする。即ち、アンテナ１ａ，１ｃの受信状況が良好であるとともに、アンテナ１ａの受信状況が最も良い場合、チューナ回路１０ｂ，１０ｄ及び復調回路１１ｂ，１１ｄを電源ＯＦＦとする。又、復号化回路１２ｃ，１２ｄも電源ＯＦＦとする。
【００４９】
そして、受信状況の最も良好なアンテナ１ａと接続されるチューナ回路１０ａ及び復調回路１１ａより得られる信号を信号切換回路１４によって復号化回路１２ａに与えるとともに、アンテナ１ｃと接続されるチューナ回路１０ｂ及び復調回路１１ｂより得られる信号を信号切換回路１４によって復号化回路１２ｂに与える。このとき、チューナ回路１０ａによってメイン画面に表示するチャンネルの信号が選局されるとともに、チューナ回路１０ｃによってサブ画面に表示するチャンネルの信号が選局される。
【００５０】
このように、チューナ回路１０ａ〜１０ｄのうちの２つのチューナ回路と、復調回路１１ａ〜１１ｄのうちの２つの復調回路とを選択して、２画面表示動作をさせると、第１の実施形態と同様、図３のフローチャートに従って動作する。即ち、上述の例のように、アンテナ１ａ，１ｃの受信状況が良好である場合においては、チューナ回路１０ａ，１０ｃ及び復調回路１１ａ，１１ｃとが、第１の実施形態におけるチューナ回路１０ａ，１０ｂ及び復調回路１１ａ，１１ｂと同様の動作を行う。よって、受信状況の良好なアンテナに接続されたチューナ回路において、メイン画面に表示するチャンネルが選局されるため、メイン画面には、メイン画面に表示する映像を常に受信状況の良好な放送信号より得られる映像信号に基づいて再生出力することができ、安定した映像とすることができる。
【００５１】
３．２画面表示機能を用いたときの第２例
又、図２の画面５０によるメイン画面及びウィンドウ５１によるサブ画面のように２画面で表示させる２画面表示機能の別例について、以下に説明する。本例では、上述の第１例とは異なり、チューナ回路１０ａ〜１０ｄ全てを動作させるとともに、復調回路１１ａ〜１１ｄ全てを動作させ、４つのアンテナ１ａ〜１ｄのうち受信状況が最も良いアンテナと接続されたチューナ回路及び復調回路で得られた信号が復号化回路１２ａに与えられるとともに、次に受信状況が良いアンテナと接続されたチューナ回路及び復調回路で得られた信号が復号化回路１２ｂに与えられる。又、復号化回路１２ｃ，１２ｄは電源ＯＦＦとする。
【００５２】
このときの動作について、図６のフローチャートを参照して以下に説明する。尚、図６のフローチャートにおいて、図３のフローチャートと同一の動作ステップについては同一の符号を付し、その詳細な説明は省略する。
【００５３】
２画面表示が指示されると、比較回路１３ｙにおいて、アンテナ１ａ〜１ｄの受信状況が比較される（ＳＴＥＰ１）。そして、受信状況が最も良いアンテナ（メイン用アンテナ）と接続されたチューナ回路（メイン用チューナ回路）及び復調回路（メイン用復調回路）で得られた信号が復号化回路１２ａに与えられるとともに、次に受信状況が良いアンテナ（サブ用アンテナ）と接続されたチューナ回路（サブ用チューナ回路）及び復調回路（サブ用復調回路）で得られた信号が復号化回路１２ｂに与えられる（ＳＴＥＰ２）。
【００５４】
よって、アンテナ１ａの受信状況が最も良好であり、次に、アンテナ１ｃの受信状況が良好である場合、復調回路１１ａからの信号が復号化回路１２ａに与えられるとともに、復調回路１１ｃからの信号が復号化回路１２ｂに与えられる。このとき、メイン用チューナ回路及びサブ用チューナ回路以外の２つのチューナ回路では、メイン用チューナ回路と同一のチャンネル周波数に対する選局動作を行う。又、チューナ回路１０ａにおいてメイン画面に対するチャンネルの放送信号が選局されるとともに、チューナ回路１０ｃにおいてサブ画面に対するチャンネルの放送信号が選局される。その後、２画面表示の終了が指示されたか否かが確認される（ＳＴＥＰ３）。
【００５５】
２画面表示の終了が確認されなかった場合（Ｎｏ）、メイン用復調回路からの信号のノイズやビットエラーレートが所定値以下であるか否かが確認される（ＳＴＥＰ４）。即ち、メイン用アンテナの受信状況が良好であるか確認される。このとき、メイン用復調回路からの信号のノイズやビットエラーレートが所定値よりも大きいとき（Ｎｏ）、メイン用復調回路以外の３つの復調回路において、メイン用復調回路からの信号よりもノイズやビットエラーレートが小さい信号を出力する復調回路が存在するか否かが比較回路１３ｙで確認される（ＳＴＥＰ１０５）。即ち、メイン用アンテナ以外の３つのアンテナにおいて、メイン用アンテナよりも受信状況が良好なものがあるか否かが確認される。
【００５６】
そして、メイン用アンテナよりも受信状況が良好なアンテナが存在する場合（Ｙｅｓ）、メイン用アンテナよりも受信状況が良好となるアンテナの内、最も良好となるアンテナをメイン用アンテナと設定する（ＳＴＥＰ１０６）。このとき、新たにメイン用アンテナに設定されたアンテナと接続されるチューナ回路をメイン用チューナ回路としてメイン画面に対するチャンネルの選局動作を行うとともに、信号切換回路１４によって、新たに設定されたメイン用チューナ回路と接続される復調回路と復号化回路１２ａとが接続される。又、切換前のメイン用チューナ回路は、切換後のメイン用チューナ回路が切換前に受信していたチャンネルの選局動作を行うとともに、切換前のメイン用復調回路は、切換後のメイン用復調回路が切換前に接続していた復号化回路と接続される。
【００５７】
よって、上述のようにアンテナ１ａがメイン用アンテナとなるとともにアンテナ１ｃがサブ用アンテナとなる場合において、ＳＴＥＰ４でアンテナ１ａの受信状況が悪化したことが確認されると、ＳＴＥＰ１０５でアンテナ１ａの受信状況とアンテナ１ｂ〜１ｄの受信状況とが比較される。そして、アンテナ１ｂの受信状況がアンテナ１ａ〜１ｄの中で最も良好となるとき、アンテナ１ｂがメイン用アンテナとして設定されるとともに、復調回路１１ｂが復号化回路１２ａと接続される。このとき、チューナ回路１０ａ，１０ｂでは、同一のチャンネル周波数の選局動作を行っているため、チューナ回路１０ａ，１０ｂにおける選局するチャンネル周波数の切換は行われない。
【００５８】
又、アンテナ１ｃの受信状況がアンテナ１ａ〜１ｄの中で最も良好となるとき、アンテナ１ｃがメイン用アンテナとして設定されるとともに、復調回路１１ｃが復号化回路１２ａと接続されるとともに、復調回路１１ａが復号化回路１２ｂと接続される。このとき、チューナ回路１０ａ，１０ｃでは、異なるチャンネル周波数の選局動作を行っているため、チューナ回路１０ａ，１０ｂにおける選局するチャンネル周波数の切換が行われる。よって、アンテナ１ａがサブ用アンテナとして設定される。
【００５９】
このように動作するとき、ＳＴＥＰ４においてメイン用アンテナの受信状況が良好である場合（Ｙｅｓ）、又は、ＳＴＥＰ１０５においてメイン用アンテナよりも受信状況が良好なアンテナがない場合（Ｎｏ）、又は、ＳＴＥＰ１０６における切換動作が行われた場合、それぞれ、サブ用復調回路からの信号のノイズやビットエラーレートが所定値以下であるか否かが確認される（ＳＴＥＰ１０７）。即ち、サブ用アンテナの受信状況が良好であるか確認される。このとき、サブ用復調回路からの信号のノイズやビットエラーレートが所定値よりも大きいとき（Ｎｏ）、メイン用復調回路及びサブ用復調回路以外の２つの復調回路において、サブ用復調回路からの信号よりもノイズやビットエラーレートが小さい信号を出力する復調回路が存在するか否かが比較回路１３ｙで確認される（ＳＴＥＰ１０８）。
【００６０】
そして、サブ用アンテナよりも受信状況が良好なアンテナが存在する場合（Ｙｅｓ）、サブ用アンテナよりも受信状況が良好となるアンテナの内、最も良好となるアンテナをサブ用アンテナと設定する（ＳＴＥＰ１０９）。このとき、新たにサブ用アンテナに設定されたアンテナと接続されるチューナ回路をサブ用チューナ回路としてサブ画面に対するチャンネルの選局動作を行うとともに、信号切換回路１４によって、新たに設定されたサブ用チューナ回路と接続される復調回路と復号化回路１２ｂとが接続される。又、切換前のサブ用チューナ回路は、メイン用チューナ回路と同一のチャンネル周波数の選局動作を行う。
【００６１】
よって、上述のようにアンテナ１ａがメイン用アンテナとなるとともにアンテナ１ｃがサブ用アンテナとなる場合において、ＳＴＥＰ１０７でアンテナ１ｃの受信状況が悪化したことが確認されると、ＳＴＥＰ１０８でアンテナ１ｃの受信状況とアンテナ１ｂ，１ｄの受信状況とが比較される。そして、アンテナ１ｂの受信状況がアンテナ１ｂ〜１ｄの中で最も良好となるとき、アンテナ１ｂがサブ用アンテナとして設定されるとともに、復調回路１１ｂが復号化回路１２ｂと接続される。このとき、チューナ回路１０ｂ，１０ｃでは、選局するチャンネル周波数の切換が行われる。
【００６２】
このように動作するとき、ＳＴＥＰ１０７においてサブ用アンテナの受信状況が良好である場合（Ｙｅｓ）、又は、ＳＴＥＰ１０８においてサブ用アンテナよりも受信状況が良好なアンテナがない場合（Ｎｏ）、又は、ＳＴＥＰ１０９における切換動作が行われた場合、それぞれ、ＳＴＥＰ３に移行する。又、ＳＴＥＰ３において、２画面表示の終了が指示されると（Ｙｅｓ）、受信装置の動作停止が指示されたか否かが確認される（ＳＴＥＰ７）。このとき、受信装置の動作停止が指示されていないとき（Ｎｏ）、４画面表示が指示されているか否かが確認され（ＳＴＥＰ１１０）、受信装置の動作停止が指示されたとき（Ｙｅｓ）、受信装置が動作停止する（ＳＴＥＰ９）。
【００６３】
又、ＳＴＥＰ１１０において、４画面表示が指示されたとき（Ｙｅｓ）、復号化回路１２ｃ，１２ｄも電源ＯＮとされて、上述した４画面表示が行われる（ＳＴＥＰ１１１）。逆に、ＳＴＥＰ１１０において、４画面表示が指示されていない場合（Ｎｏ）、サブ画面となるウィンドウ５１が消去されて、メイン画面のみの映像表示がなされる（ＳＥＴＰ８）。即ち、上述したように、復号化回路１２ｂの動作が停止されて、アンテナ１ａ〜１ｂ及びチューナ回路１０ａ〜１０ｂ及び復調回路１１ａ〜１１ｂが使用されたダイバーシティ方式による受信動作が行われる。
【００６４】
このように、第２例のように動作させることで、４つのアンテナから最も受信状態が良好なアンテナより得られる映像信号をメイン画面に再生出力することができるため、メイン画面に表示された映像の再生状態を常に良好なものとすることができる。又、第１例においては、２つのチューナ回路及び２つの復調回路を電源ＯＦＦとすることができるため、その消費電力を低減させることができる。
【００６５】
第１及び第２の実施形態において、アンテナ及びチューナ回路及び復調回路及び復号化回路それぞれを２又は４回路ずつ備えるものとしているが、２又は４回路以外の複数回路ずつ備えるものとしても構わない。このとき、２又は４画面以外のの複数画面が表示されるものとしても構わないが、図３又は図６のフローチャートによる動作と同様にして、メイン画面となる画面には受信状況の最も良好なアンテナから得られる信号が復号化された映像信号が再生される。
【００６６】
＜第３の実施形態＞
本発明の第３の実施形態について、以下に図面を参照して説明する。図７は、本実施形態の受信装置の内部構成を示すブロック図である。尚、図７の受信装置において、図１及び図４と同一の部分については同一の符号を付す。
【００６７】
図５の受信装置は、アンテナ１ａ〜１ｄと、チューナ回路１０ａ〜１０ｄと、復調回路１１ａ〜１１ｄと、復調回路１１ａ，１１ｂからの信号のＳ／Ｎ比及ビットエラーレートを比較する比較回路１３ａと、復調回路１１ｃ，１１ｄからの信号のＳ／Ｎ比及ビットエラーレートを比較する比較回路１３ｂと、比較回路１３ａ及び復調回路１１ａ，１１ｃからの信号を選択するスイッチＳＷ１と、比較回路１３ｂ及び復調回路１１ｂ，１１ｄからの信号を選択するスイッチＳＷ２と、スイッチＳＷ１，ＳＷ２からの信号のＳ／Ｎ比及ビットエラーレートを比較する比較回路１３ｘと、スイッチＳＷ１，ＳＷ２からの信号の切換を行う信号切換回路１４と、信号切換回路１４から与えられる信号を復号化する復号化回路１２ａ，１２ｂと、復号化回路１２ａ，１２ｂで復号化された信号を合成する合成回路１５と、を備える。このとき、チューナ回路１０ａ〜１０ｄは、図８のチューナ回路１０と同様、ＢＰＦ２と、ＲＦアンプ３と、ＢＰＦ４と、ミキサ５と、ＶＣＯ６と、ＰＬＬ７とによって構成される。
【００６８】
このような構成の受信装置において、アンテナ１ａ，１ｂとチューナ回路１０ａ，１０ｂと復調回路１１ａ，１１ｂと比較回路１３ａとによって２つのアンテナ１ａ，１ｂによるダイバーシティ方式のペアチューナ回路２０ａが構成されるとともに、アンテナ１ｃ，１ｄとチューナ回路１０ｃ，１０ｄと復調回路１１ｃ，１１ｄと比較回路１３ｂとによって２つのアンテナ１ｃ，１ｄによるダイバーシティ方式のペアチューナ回路２０ｂが構成される。このように構成されるとき、アンテナ１ａ，１ｂの空間距離及びアンテナ１ｃ，１ｄの空間距離のそれぞれが、アンテナ１ａ〜１ｄそれぞれによる他の空間距離よりも長いものとされる。即ち、アンテナ１ａ，１ｂの空間距離及びアンテナ１ｃ，１ｄの空間距離の少なくとも一方が、アンテナ１ａ〜１ｄそれぞれによる空間距離のなかの最大空間距離となるように設定される。
【００６９】
又、図５の受信装置は、４つのアンテナ１ａ〜１ｄによるダイバーシティ方式を用いた受信動作を行うことができるとともに、第１の実施形態と同様、例えば、図２の画面５０によるメイン画面及びウィンドウ５１によるサブ画面のように２画面で表示することができる複数画面表示機能を備える。更に、このような複数画面表示機能を用いる際、アンテナ１ａ〜１ｄ全てを使用した複数画面表示を行うことができるとともに、アンテナ１ａ〜１ｄのうち２つのアンテナのみを使用した複数画面表示を行うことができる。
【００７０】
（ダイバーシティ方式による受信動作）
このような構成の受信装置は、図１の受信装置と同様、ダイバーシティ方式で受信を行う際は、チューナ回路１０ａ〜１０ｄにおいて同一のチャンネル周波数の放送信号が受信される。このとき、スイッチＳＷ１によって比較回路１３ａが比較回路１３ｘ及び信号切換回路１４に接続されるとともに、スイッチＳＷ２によって比較回路１３ｂが比較回路１３ｘ及び信号切換回路１４に接続される。そして、比較回路１３ａによって、復調回路１１ａ，１１ｂそれぞれで復調された信号それぞれのＳ／Ｎ比及びビットエラーレートが確認されるとともに、比較回路１３ｂによって、復調回路１１ｃ，１１ｄで復調された信号それぞれのＳ／Ｎ比及びビットエラーレートが確認される。
【００７１】
このとき、ノイズやビットエラーレートの小さい信号を出力する復調回路が比較回路１３ａ，１３ｂによって確認されると、その復調回路からの信号がスイッチＳＷ１，ＳＷ２に与えられる。即ち、比較回路１３ａにおいては、復調回路１１ａからの信号の方がノイズやビットエラーレートが小さい場合は、復調回路１１ａからの信号がスイッチＳＷ１に与えられ、又、復調回路１１ｂからの信号の方がノイズやビットエラーレートが小さい場合は、復調回路１１ｂからの信号がスイッチＳＷ１に与えられる。又、比較回路１３ｂにおいては、復調回路１１ｃからの信号の方がノイズやビットエラーレートが小さい場合は、復調回路１１ｃからの信号がスイッチＳＷ２に与えられ、又、復調回路１１ｄからの信号の方がノイズやビットエラーレートが小さい場合は、復調回路１１ｄからの信号がスイッチＳＷ２に与えられる。
【００７２】
そして、比較回路１３ａ，１３ｂで選択された信号がスイッチＳＷ１，ＳＷ２を介して比較回路１３ｘ及び信号切換回路１４に与えられると、比較回路１３ｘによって、比較回路１３ａ，１３ｂで選択された信号それぞれのＳ／Ｎ比及びビットエラーレートが確認される。このとき、ノイズやビットエラーレートの小さい信号を出力する比較回路が比較回路１３ｘによって確認されると、その比較回路からの信号が復号化回路１２ａに与えられるように、比較回路１３ｘによって信号切換回路１４が制御される。即ち、比較回路１３ａからの信号の方がノイズやビットエラーレートが小さい場合は、信号切換回路１４によって比較回路１３ａからの信号が復号化回路１２ａに与えられ、又、比較回路１３ｂからの信号の方がノイズやビットエラーレートが小さい場合は、信号切換回路１４によって比較回路１３ｂからの信号が復号化回路１２ａに与えられる。
【００７３】
このように比較回路１３ａ，１３ｂ，１３ｘ及び信号切換回路１４が動作して、復調回路１１ａ〜１１ｄと復号化回路１２ａとの接続関係を切り換えることによって、復号化回路１２ａには、アンテナ１ａ〜１ｄのうち受信状況の良好なアンテナで受信されることで得られたノイズやビットエラーレートの小さい信号が常に与えられる。そして、復号化回路１２ａにおいて、与えられた信号を復号化することによって映像信号及び音声信号を得ると、合成回路１５を介して不図示のディスプレイ及びスピーカに与えることで映像及び音声を再生出力する。尚、このとき、復号化回路１２ｂの動作は停止されている。
【００７４】
（複数画面表示機能を用いたときの受信動作）
又、複数画面表示機能が用いられたとき、第１の実施形態と同様、復号化回路１２ａで復号化された映像信号による映像がメイン画面に表示されるとともに、復号化回路１２ｂで復号化された映像信号による映像がサブ画面に表示される。更に、復号化回路１２ａで復号化された音声信号による音声のみが再生される。このとき、動作状態として、ペアチューナ回路２０ａ，２０ｂ両方を動作させるダイバーシティモードと、ペアチューナ回路２０ａ，２０ｂのいずれか一方のみを動作させるとともに他方を電源ＯＦＦとする省電力モードとの間で、選択することができる。
【００７５】
１．ダイバーシティモードでの動作
このとき、スイッチＳＷ１によって比較回路１３ａが比較回路１３ｘ及び信号切換回路１４に接続されるとともに、スイッチＳＷ２によって比較回路１３ｂが比較回路１３ｘ及び信号切換回路１４に接続される。そして、ペアチューナ回路２０ａから、復調回路１１ａ，１１ｂの信号のうちのノイズやビットエラーレートの小さい信号が、又、ペアチューナ回路２０ｂから、復調回路１１ｃ，１１ｄの信号のうちのノイズやビットエラーレートの小さい信号が、それぞれ、スイッチＳＷ１，ＳＷ２を介して比較回路１３ｘ及び信号切換回路１４に与えられる。
【００７６】
よって、まず、比較回路１３ｘにおいて、ペアチューナ回路２０ａ，２０ｂそれぞれから与えられる信号のノイズやビットエラーレートが比較される。そして、ノイズやビットエラーレートが小さい信号を出力するペアチューナ回路内の２つのチューナ回路がメイン画面に対するチャンネルを選局するように選局するチャンネル周波数が設定される。又、ノイズやビットエラーレートが大きい信号を出力するペアチューナ回路内の２つのチューナ回路がサブ画面に対するチャンネルを選局するように選局するチャンネル周波数が設定される。以下、メイン画面に対するチャンネルを選局するペアチューナ回路を「メイン用ペアチューナ回路」とし、サブ画面に対するチャンネルを選局するペアチューナ回路を「サブ用ペアチューナ回路」とする。
【００７７】
即ち、ペアチューナ回路２０ａからの信号のノイズやビットエラーレートが小さい場合、ペアチューナ回路２０ａがメイン用ペアチューナ回路とされ、その出力が復号化回路１２ａに与えられるとともに、ペアチューナ回路２０ｂがサブ用ペアチューナ回路とされ、その出力が復号化回路１２ｂに与えられる。このとき、ペアチューナ回路２０ａ内のチューナ回路１０ａ，１０ｂがメイン画面に対するチャンネル周波数の選局動作を行い、又、ペアチューナ回路２０ｂ内のチューナ回路１０ｃ，１０ｄがサブ画面に対するチャンネル周波数の選局動作を行う。
【００７８】
又、ペアチューナ回路２０ｂからの信号のノイズやビットエラーレートが小さい場合、ペアチューナ回路２０ｂがメイン用ペアチューナ回路とされ、その出力が復号化回路１２ａに与えられるとともに、ペアチューナ回路２０ａがサブ用ペアチューナ回路とされ、その出力が復号化回路１２ｂに与えられる。このとき、ペアチューナ回路２０ｂ内のチューナ回路１０ｃ，１０ｄがメイン画面に対するチャンネル周波数の選局動作を行い、又、ペアチューナ回路２０ａ内のチューナ回路１０ａ，１０ｂがサブ画面に対するチャンネル周波数の選局動作を行う。
【００７９】
そして、比較回路１３ｘ及び信号切換回路１４は、第１の実施形態の比較回路１３ｘ及微信号切換回路１４と同様の動作を行うことによって、ノイズやビットエラーレートが小さい信号を出力するペアチューナ回路を常に復号化回路１２ａに接続するとともに、ノイズやビットエラーレートが大きい信号を出力するペアチューナ回路を常に復号化回路１２ｂに接続する。即ち、比較回路１３ｘ及信号切換回路１４において、図３のフローチャートと同様の動作が行われる。
【００８０】
よって、ペアチューナ回路２０ａがメイン用ペアチューナ回路であるとき、ペアチューナ回路２０ｂからの信号の方がノイズやビットエラーレートが小さくなったことが比較回路１３ｘで確認されると、ペアチューナ回路２０ａがサブ用ペアチューナ回路とされるとともに、ペアチューナ回路２０ｂがメイン用ペアチューナ回路とされる。このとき、チューナ回路１０ａ，１０ｂがサブ画面に対するチャンネルの選局動作を行うようにチャンネル周波数の切換が行われるとともに、チューナ回路１０ｃ，１０ｄがメイン画面に対するチャンネルの選局動作を行うようにチャンネル周波数の切換が行われる。更に、信号切換回路１４によって、スイッチＳＷ１と復号化回路１２ｂが接続されるとともにスイッチＳＷ２と復号化回路１２ａが接続されて、ペアチューナ回路２０ａからの信号が復号化回路１２ｂに与えられるとともにペアチューナ回路２０ｂからの信号が復号化回路１２ａに与えられるようになる。
【００８１】
このような動作が行われている際、ペアチューナ回路２０ａ，２０ｂでは、それぞれ２つのアンテナを用いたダイバーシティ方式による受信動作が行われている。即ち、ペアチューナ回路２０ａでは、復調回路１１ａ，１１ｂから与えられる信号のうちそのノイズやビットエラーレートが小さい信号が選択されてスイッチＳＷ１に出力される。又、ペアチューナ回路２０ｂでは、復調回路１１ｃ，１１ｄから与えられる信号のうちそのノイズやビットエラーレートが小さい信号が選択されてスイッチＳＷ２に出力される。よって、ペアチューナ回路２０ａからは、アンテナ１ａ，１ｂのうち受信状況の良好なアンテナにより受信された信号が出力され、ペアチューナ回路２０ｂからは、アンテナ１ｃ，１ｄのうち受信状況の良好なアンテナにより受信された信号が出力される。
【００８２】
２．省電力モードでの動作
このとき、比較回路１３ｘにおいて、ペアチューナ回路２０ａからの信号の方がノイズやビットエラーレートが小さいことが確認された場合、スイッチＳＷ１によって復調回路１１ａが比較回路１３ｘ及び信号切換回路１４に接続されるとともに、スイッチＳＷ２によって復調回路１１ｂが比較回路１３ｘ及び信号切換回路１４に接続される。そして、ペアチューナ回路２０ｂが電源ＯＦＦとされる。また、比較回路１３ｘにおいて、ペアチューナ回路２０ｂからの信号の方がノイズやビットエラーレートが小さいことが確認された場合、スイッチＳＷ１によって復調回路１１ｃが比較回路１３ｘ及び信号切換回路１４に接続されるとともに、スイッチＳＷ２によって復調回路１１ｄが比較回路１３ｘ及び信号切換回路１４に接続される。そして、ペアチューナ回路２０ａが電源ＯＦＦとされる。
【００８３】
このようにすることで、ペアチューナ回路２０ｂが電源ＯＦＦとされたとき、アンテナ１ａ，１ｂ、復調回路１１ａ，１１ｂ、比較回路１３ｘ、信号切換回路１４、復号化回路１２ａ，１２ｂ、及び合成回路１５によって、第１の実施形態と同様の受信装置が構成される。又、ペアチューナ回路２０ｂが電源ＯＦＦとされたとき、アンテナ１ｃ，１ｄ、復調回路１１ｃ，１１ｄ、比較回路１３ｘ、信号切換回路１４、復号化回路１２ａ，１２ｂ、及び合成回路１５によって、第１の実施形態と同様の受信装置が構成される。よって、それぞれにおいて、第１の実施形態と同様、図３のフローチャートに従った動作を行うことで、メイン画面に表示された映像の再生状態を常に良好なものとすることができる。
【００８４】
本実施形態において、ダイバーシティモードで動作させたとき、最も受信状態が良好なアンテナより得られる映像信号をメイン画面に再生出力することができるため、メイン画面に表示された映像の再生状態を常に良好なものとすることができる。又、第２の実施形態と比べて、その動作フローを簡単なものとすることができる。又、省電力モードにおいては、一方のペアチューナ回路を電源ＯＦＦとすることができるため、その消費電力を低減させることができる。
【００８５】
尚、第２及び第３の実施形態において、復調回路よりも後段の回路をマイクロコンピュータとして、ソフトウェアによって、第２及び第３の実施形態における動作が選択されるものとしても構わない。このようにすることで、より柔軟な動作を行うことができ、受信装置の設置環境に応じてより最適な受信動作を行うことができる。
【００８６】
尚、第１〜第３の実施形態において、比較回路が復調回路からの信号によって各アンテナの受信状況を確認するものとしたが、チューナ回路からの信号の電力を確認することにより各アンテナの受信状況を確認するものとしても構わない。このとき、信号切換回路では、チューナ回路それぞれに対する復調回路を選択した後、チューナ回路それぞれからの信号を、各チューナ回路に対して選択した復調回路に与える。
【産業上の利用可能性】
【００８７】
本発明による受信装置は、テレビ放送などの放送信号を受信する携帯用放送受信装置や車載用放送受信装置や携帯型電話装置のように、移動通信を行うことでアンテナの指向性が変更される受信装置に適用可能である。
【図面の簡単な説明】
【００８８】
【図１】は、第１の実施形態の受信装置の内部構成を示すブロック図である。
【図２】は、ディスプレイにおける２画面表示例を示す図である。
【図３】は、第１の実施形態の受信装置の複数画面表示動作を示すフローチャートである。
【図４】は、第２の実施形態の受信装置の内部構成を示すブロック図である。
【図５】は、ディスプレイにおける４画面表示例を示す図である。
【図６】は、第２の実施形態の受信装置の２画面表示動作を示すフローチャートである。
【図７】は、第３の実施形態の受信装置の内部構成を示すブロック図である。
【図８】は、従来の受信装置の内部構成を示すブロック図である。
【図９】は、従来の受信装置の内部構成を示すブロック図である。
【符号の説明】
【００８９】
１ａ〜１ｄ    アンテナ
２，４    ＢＰＦ
３    ＲＦアンプ
５    ミキサ
６    ＶＣＯ
７    ＰＬＬ
１０ａ〜１０ｄ    チューナ回路
１１ａ〜１１ｄ    復調回路
１２ａ〜１２ｄ    復号化回路
１３，１３ａ，１３ｂ，１３ｘ，１３ｙ    比較回路
１４    信号切換回路
１５    合成回路
【図１】
2005159615.tif 000003
【図２】
2005159615.tif 000004
【図３】
2005159615.tif 000005
【図４】
2005159615.tif 000006
【図５】
2005159615.tif 000007
【図６】
2005159615.tif 000008
【図７】
2005159615.tif 000009
【図８】
2005159615.tif 000010
【図９】
2005159615.tif 000011